(57)【要約】  【課題】  試食品の残りや使用後の楊枝やストロー等の廃棄物を入れるためのビニール袋を簡単に取り付けることができる廃棄物回収用ビニール袋吊り下げ具を提供する。  【解決手段】  金属製または樹脂製丸棒から成る吊り下げ具１において、背面部は牛乳箱等の箱物の側面板に、あるいは食品陳列棚の前部フェンス等に掛けられるように丸棒をコの字形に曲げた掛かり部２があり、前面部はこの掛かり部２とつながる２本の金属製または樹脂製丸棒の腕部３が適度な長さで前方に水平方向に突き出しており、その２本の金属製または樹脂製丸棒の端部４に複数のビニ−ル袋５を通し、腕部３の根元に設けられた収納用曲げ部７に収納し、一番外側のビニール袋を腕部３の中央まで引き出し、ビニ−ル袋５の口を開口させた状態で２本の腕部３にビニール袋を吊り下げることができることを特徴とする廃棄物回収用ビニ−ル袋吊り下げ具１。【選択図】     図１
2005343598.tif 000002
【特許請求の範囲】
【請求項１】
イ  金属製または樹脂製の丸棒から成る吊り下げ具において、背面部は牛乳箱等の箱物の側面板上縁部に、あるいは商品展示台の前部フェンス等の上縁部に簡単に引っ掛けることを可能にするコの字形状に曲げられた掛かり部を形成している。
ロ  この吊り下げ具の前面部は、背面部の掛かり部につながる２本の金属製または樹脂製の丸棒からなる腕部が適度な長さで前方に水平方向に突き出しており、その２本の腕部の端は５〜１０mm程度上方へ折り曲げてある構造になっており、この端部からビニール袋に設けられた２つの穴を通しビニール袋の口が大きく開いた状態で２本の腕部に吊り下げることが可能になる。
ハ  また、この吊り下げ具の２本の腕部の根元には、半円またはくの字に曲げられた収納用の曲げ部があり、ここには予備のビニール袋を多数ためておくことができる。
ニ  さらに、この金属製または樹脂製丸棒から成る吊り下げ具の強度を補強するために２本の腕部をまたぐように補強用丸棒が複数本溶接または一体成型により連結されている。
以上の構成よりなることを特徴とする廃棄物回収用ビニール袋吊り下げ具。
【発明の詳細な説明】
【技術分野】
【０００１】
本発明は、廃棄物回収用ビニール袋等の袋開口部を広げたまま吊り下げることができる吊り下げ具に関するものである。
【背景技術】
【０００２】
現在、全国の小中学校では、給食で出される牛乳等の使用済みストロ−の処理は、各教室でストロ−を小さな矩形のビニ−ル袋に入れて回収処理をしていた。しかし、ストローを入れるためのビニール袋を吊り下げる器具がないために、ビニ−ルテープ等で机の横へビニール袋を留めるなどの工夫をしていた。また、ス−パ−マ−ケット等の食品売り場では，試食した残飯や楊枝を捨てるためのビニール袋についても同様で、残飯や楊枝を捨てるためのビニール袋を吊り下げるための器具がないために、係員がビニールテープ等で袋を止めるなどの工夫をしていた。
【特許文献１】特開平１１−１３００２４
【発明の開示】
【発明が解決しようとする課題】
【０００３】
しかしながら、こうした方法では，ビニール袋を止めるためにビニールテープを用意しなければならず、また袋が一杯になれば、再びビニール袋をテープで止めるなどの手間がかかり不便である。
本発明はこれらの欠点を除くためになされたものである。
【課題を解決するための手段】
【０００４】
上記の課題を解決するための手段は、請求項１で示したように、
イ  金属製または樹脂製の丸棒から成る吊り下げ具において、背面部は牛乳箱等の箱物の側面板の上縁部に、あるいは商品展示台の前部フェンス等の上縁部に簡単に引っ掛けることを可能にするコの字形状に曲げられた掛かり部を形成している。
ロ  この吊り下げ具の前面部は、背面部の掛かり部につながる２本の金属製または樹脂製の丸棒からなる腕部が適度な長さで前方に水平方向に突き出しており、その２本の腕部の端は５〜１０mm程度上方へ折り曲げてある構造になっており、この端部からビニール袋に設けられた２つの穴を通しビニール袋の口が大きく開いた状態で２本の腕部に吊り下げることが可能になる。
ハ  また、この吊り下げ具の２本の腕部の根元には、半円またはくの字に曲げられた収納用の曲げ部があり、ここには予備のビニール袋を多数ためておくことができる。
ニ  さらに、この金属製または樹脂製丸棒から成る吊り下げ具の強度を補強するために、２本の腕部をまたぐように補強用丸棒が複数本溶接または一体成型により連結されている。
以上の構成よりなることを特徴とする廃棄物回収用ビニール袋吊り下げ具。
【発明の効果】
【０００５】
本発明の廃棄用ビニール袋吊り下げ具を使用すると、次の様な効果が生まれる。
ア  ビニール袋を吊り下げるときのビニールテープ等が不要となり手間がなくなる。
イ  あらかじめビニール袋を吊り下げ具に多数吊り下げておくことができるので、ビニール袋が廃棄物で満杯になれば、ビニール袋を取り外し新たなビニール袋の補充が簡単にできる。
【発明を実施するための最良の形態】
【０００６】
以下に、本発明を実施するための最良の形態を図１〜７を使って説明する。最初に、請求項１で示した吊り下げ具１について説明すれば、
図１に示されるように金属製または樹脂製の丸棒から成る吊り下げ具１において、背面部は牛乳箱等の箱物の側面板の上縁部に、あるいは商品展示台の前部フェンス等の上縁部に簡単に引っ掛けることが可能であるコの字形に曲げられた丸棒から成る掛かり部２を形成している。
この吊り下げ具１の前面部は、背面部の掛かり部２につながる２本の金属製の丸棒の腕部３が適度な長さで前方に水平方向に突き出しており、その２本の腕部の端４は５〜１０mm程度上方へ折り曲げてある構造になっており、この端部４からビニール袋５に設けられた２つの穴６を通し、図２のようにビニール袋５の口が大きく開いた状態で２本の腕部３に吊り下げることが可能になる。
さらに、この吊り下げ具１の２本の腕部３の根元には、半円またはくの字に曲げられた収納用の曲げ部７があり、ここには予備のビニール袋５を図２のように多数ためておくことができる。
また、この金属製または樹脂製の丸棒から成る吊り下げ具１の強度を補強するために、２本の腕部３をまたぐように補強用の金属製または樹脂製の丸棒８が複数本溶接または一体成型により連結されている。
本発明は以上の構成よりなっている。
【０００７】
本発明を使用するときは、次のように行う。
図３のように、吊り下げ具本体１の背面部にある掛かり部２を、机上に置かれた牛乳箱９の側面板上縁に掛け本体１を固定する。次に、複数のビニール袋５を用意し、袋に設けられた２つの穴６に２本の腕部３の端部４をそれぞれ通し、収納用曲げ部７まで移動する。このとき一番外側にあるビニール袋５を再び２本の腕部３まで引き出し、開口部を広げる。
こうすると、ビニール袋は開口されたまま吊り下げる状態になるので、例えば、学校で給食時間に使用したストローを廃棄するとき、本発明の吊り下げ具を使用すれば、簡単にストローをビニール袋の中に廃棄ができる。
また、スーパーマーケットなどの食品コーナーで行われる試食品の残りや使用した楊枝を捨てるときにも，本発明の吊り下げ具を利用できる。
【実施例１】
【０００８】
図４は，本発明の吊り下げ具の他の実施例１を示した斜視図で、請求項１の特徴を有する構造で、材質がすべて樹脂製のビニール袋吊り下げ具２１である。材質は例えばＡＢＳ樹脂等の樹脂が考えられる。前記の金属製の吊り下げ具に比べ、加工性、軽さ、扱い易さ制作費等において大変に優れている。
【実施例２】
【０００９】
図５は、本発明の吊り下げ具の他の実施例２を示す斜視図で、請求項１の吊り下げ具１において、背面の掛かり部が金属製丸棒ではなく、コの字型に曲げられた薄板鋼板による掛かり部１１を採用したタイプである。
金属製の丸棒から成る２本の腕部３は、取付け部１２及び１３によって固定されている。このタイプでは、請求項１のタイプに比べ構造的に強度が強いのが長所である。
【実施例３】
【００１０】
図６は、本発明の吊り下げ具の他の実施例３を示す斜視図で、前記の他の実施例２の構造の特徴を有する吊り下げ具で、掛かり部２０や腕部３等の材質がすべて樹脂製の吊り下げ具である。材質は例えばＡＢＳ樹脂等の樹脂が考えられる。前記の金属製の吊り下げ具に比べ，加工性、軽さ，扱い安さ、制作費等において大変優れている。
【実施例４】
【００１１】
図７は、本発明の吊り下げ具の他の実施例４を示す斜視図で、コの字型に曲げられた薄板鋼板による取付け部１４と腕部１５から構成されており、設置する机板を上下からはさみ、ネジ１６で固定するタイプである。
前面部の丸棒から成る２本の腕部１５は、請求項１と同様の機能を有するが、取付け部１８によって固定されている。このタイプは請求項１や実施例２のタイプに比べ、形状がコンパクトであるのが特徴である。
図８は、実際にビニール袋５をその他の実施例４の吊り下げ具に装着した様子を表す斜視図である。
【図面の簡単な説明】
【００１２】
【図１】本発明の請求項１のビニール袋吊り下げ具の外観を表す斜視図。
【図２】本発明の請求項１のビニール袋吊り下げ具におけるビニール袋装着状態を表す斜視図。
【図３】本発明の請求項１のビニール袋吊り下げ具の実際の使用状態を表す斜視図。
【図４】材質が樹脂製の丸棒から成る他の実施例１のビニール袋吊り下げ具の斜視図。
【図５】他の実施例２のビニール袋吊り下げ具の斜視図。
【図６】他の実施例３の樹脂製のビニール袋吊り下げ具。
【図７】他の実施例４のビニール袋吊り下げ具の斜視図。
【図８】他の実施例４の吊り下げ具の実際に使用状態を表す斜視図。
【符号の説明】
【００１３】
１  本発明の吊り下げ具本体
２  掛かり部
３  腕部
４  端部
５  ビニ−ル袋
６  ビニ−ル袋に設けられた通し穴
７  収納用曲げ部
８  補強用丸棒 
９  牛乳箱
１０ 回収された牛乳パック
１１  薄板鋼板による掛かり部
１２  取付け部
１３  取付け部
１４  薄板鋼板による取付け部
１５  腕部
１６  固定用ネジ
１７  ネジ穴
１８  取付け部
１９  机
２０  平板樹脂からなる掛かり部
２１  他の実施例１の樹脂製のビニール袋吊り下げ具
２２  他の実施例３の樹脂製のビニール袋吊り下げ具
【図１】
2005343598.tif 000003
【図２】
2005343598.tif 000004
【図３】
2005343598.tif 000005
【図４】
2005343598.tif 000006
【図５】
2005343598.tif 000007
【図６】
2005343598.tif 000008
【図７】
2005343598.tif 000009
【図８】
2005343598.tif 000010